(57)【特許請求の範囲】
【請求項１】
水分の存在下で被吸着成分と反応する吸着性化合物と、被処理ガス中の水分を吸収して吸着性化合物と被吸着成分との反応媒体である水分を提供する吸水性物質と、結合剤とを含有する吸着処理用組成物であって、
上記被吸着成分がカルボニル基含有化合物であり、
上記吸着性化合物は、一価フェノール、多価フェノール、およびこれらの誘導体よりなる群から選択される少なくとも１種であり、
上記結合剤が吸着処理用組成物のうちの少なくとも吸水性物質同士を粒状体に形成し得るものであり、この結合剤は前記吸水性物質の重量に対して１．３〜８重量％であることを特徴とする吸着処理用組成物。
【請求項２】
平均粒径０．１〜１ｍｍの粒状体に造粒されたものである請求項１に記載の吸着処理用組成物。
【請求項３】
結合剤が、吸水性物質の重量に対して、１．３〜３重量％である請求項１または２に記載の吸着処理用組成物。
【請求項４】
結合剤が、水溶性ポリマーである請求項１〜３のいずれかに記載の吸着処理用組成物。
【請求項５】
結合剤が、ポリビニルアルコールである請求項４に記載の吸着処理用組成物。
【請求項６】
吸水性物質が、吸水性無機物質および吸水性ポリマーから選択される少なくとも１種である請求項１〜５のいずれかに記載の吸着処理用組成物。
【請求項７】
吸水性無機物質が、シリカゲル、ゼオライト、アルミナおよびケイソウ土よりなる群から選択される少なくとも１種である請求項６に記載の吸着処理用組成物。
【請求項８】
吸水性無機物質が、Ｈ型ゼオライトである請求項７に記載の吸着処理用組成物。
【請求項９】
吸水性ポリマーが、アクリル酸またはその塩系、アクリルアミド系、マレイン酸系、エチレンオキサイド系、ビニルアルコール系の単独もしくは共重合体、変性澱粉、変性セルロースよりなる群から選択される少なくとも１種である請求項６に記載の吸着処理用組成物。
【請求項１０】
吸着性化合物が、レゾルシンである請求項１に記載の吸着処理用組成物。
【請求項１１】
さらに、弱酸性物質または弱塩基性物質を含有するものである請求項１〜１０のいずれかに記載の吸着処理用組成物。
【請求項１２】
請求項１〜１１のいずれかに記載された吸着処理用組成物を含有する吸着処理部を備えることを特徴とする吸着処理装置。
【請求項１３】
さらに、上記吸着処理部に対し被処理ガスを供給するファンを備えている請求項１２に記載の吸着処理装置。
【請求項１４】
空調装置に付設されるものである請求項１２または１３に記載の吸着処理装置。
【請求項１５】
吸着処理部が、着脱可能に取り付けられている請求項１２〜１４のいずれかに記載の吸着処理装置。
【請求項１６】
請求項１〜１１のいずれかに記載の吸着処理用組成物を含有することを特徴とする空気清浄用フィルタ。
【請求項１７】
さらに、被吸着成分を吸着し得る物理的吸着剤を有する請求項１６に記載の空気清浄用フィルタ。
【請求項１８】
物理的吸着剤が活性炭である請求項１７に記載の空気清浄用フィルタ。
【請求項１９】
被処理ガスを、請求項１〜１１のいずれかに記載の吸着処理用組成物と接触させ、被吸着成分を除去することを特徴とする吸着処理方法。
【請求項２０】
被処理ガスと共に、水分を吸着処理用組成物に接触させるものである請求項１９に記載の吸着処理方法。
【発明の詳細な説明】
【０００１】
【発明の属する技術分野】
本発明は、アルデヒド類やケトン類のようなカルボニル基含有化合物等の臭気成分や無臭の有害気体成分等の被吸着成分を、簡便にしかも効率よく吸着除去することのできる吸着処理用組成物と、この吸着処理用組成物を用いた吸着処理装置、空気清浄用フィルタ、並びに吸着処理方法に関するものであり、この技術は、特に自動車や住宅・家屋等の室内における吸着処理に有効に活用することができる。
【０００２】
【従来の技術】
ガス中の臭気成分を除去する方法として、汚水処理設備や都市ごみ焼却設備のような大規模設備の場合、臭気成分との反応性を有する薬剤を溶解した洗浄水等を用いた散水洗浄装置等が使用されている。しかし、トイレや室内、あるいは車輛室内のように限られた空間内において吸着処理を行う場合には、大規模な散水洗浄設備等を付設することができないので、通常は活性炭等の物理的吸着剤を利用した吸着処理法が広く活用されている。
【０００３】
一方、自動車等の車輛室内には、燃料やオイル等の分解ガス、タバコに由来する燃焼生成物、内装用ボード類や車内装備の接合等に用いられる接着剤や断熱用発泡樹脂等から揮散する有機化合物等の悪臭または無臭有毒な気体成分が存在していることが確認されている。また住宅・家屋においても、タバコに由来する燃焼生成物はもとより、断熱材や合板材、接着剤等から揮散してくる有害物質によるシックハウスが問題になっているように、有害気体成分が存在している。
【０００４】
これらの悪臭または無臭有毒な気体成分（以下単に気体成分ということがある）中には、ホルムアルデヒド、アセトアルデヒド、アクロレイン、ベンズアルデヒド等のカルボニル基含有化合物が含まれている。しかし、通常、空気清浄機等に用いられている物理的吸着剤である活性炭では、これらの化合物の吸着除去能が不充分であった。
【０００５】
また、活性炭等の物理的吸着剤は、吸着サイト内に被吸着成分を捕捉することにより吸着除去能を発揮するが、被処理ガス中の湿分（水分）も吸着してしまうため、吸着剤の吸着サイトが水分で飽和されると、それ以上、吸着性能が発揮されない。
【０００６】
そこで、水分が存在する屋内や自動車室内等でも、気体成分を吸着除去できる吸着剤について種々の検討が行われている。本願出願人は、上記カルボニル化合物と、水分存在下で反応し得るフェノール系化合物を見出し、この化合物を担持させるための吸水性物質を含む組成物について既に出願した（特願平１０−２７１３８６号）。
【０００７】
上記吸着処理用組成物は、吸着処理装置や空気清浄用フィルタに適用するために、不織布等の気体通過性素材に挟持されることがある。気体通過性を向上させて処理効率を上げるには目の詰まった素材では好ましくないため、気体通過性素材は、ある程度の大きさの孔を多数有する構成となっており、例えば不織布等では目付の小さいものが利用される。このとき、吸着処理用組成物が小粒径であると、このような気体通過孔から落ちてしまい、商品価値がなくなったり、充分な吸着性能を発揮できなくなる恐れがあるという問題があった。
【０００８】
また、吸着処理用組成物の取り扱い性や作業環境の観点からも、微細粉体よりは、ある程度の大きさを有する粒状体であることが好ましく、粒状体として供給できる吸着処理用組成物の造粒条件の確立が要求されていた。
【０００９】
【発明が解決しようとする課題】
本発明は上記の様な事情に着目してなされたものであって、吸着性能を阻害せずに、簡単に造粒することのできる造粒方法を確立して、取り扱い性に優れた吸着処理用組成物を開発し、この吸着処理用組成物を活用した吸着処理装置、空気清浄用フィルタ並びに吸着処理方法を提供することを課題として掲げた。
【００１０】
【課題を解決するための手段】
本発明は、水分の存在下で被吸着成分と反応する吸着性化合物と、被処理ガス中の水分を吸収して吸着性化合物と被吸着成分との反応媒体である水分を提供する吸水性物質と、結合剤とを含有する吸着処理用組成物であって、上記被吸着成分がカルボニル基含有化合物であり、上記吸着性化合物は、一価フェノール、多価フェノール、およびこれらの誘導体よりなる群から選択される少なくとも１種であり、上記結合剤が吸着処理用組成物のうちの少なくとも吸水性物質同士を粒状体に形成し得るものであり、この結合剤は前記吸水性物質の重量に対して１．３〜８重量％であるところに要旨を有する。この構成の採用によって、吸着性能を阻害せず、粒子強度に優れた粒状体を形成することができるようになった。吸着処理用組成物は、平均粒径０．１〜１ｍｍの粒状体に造粒されたものであることが好ましい。
【００１１】
結合剤が、吸水性物質の重量に対して、１．３〜３重量％であると、より好ましく、結合剤として水溶性ポリマー、特にポリビニルアルコールを用いることが好ましい。
【００１２】
吸水性物質の好ましい実施態様としては、吸水性無機物質および吸水性ポリマーから選択される少なくとも１種が挙げられる。具体的には、吸水性無機物質は、シリカゲル、ゼオライト、アルミナおよびケイソウ土よりなる群から選択される少なくとも１種であり、特にＨ型ゼオライトが好ましい。吸水性ポリマーは、アクリル酸またはその塩系、アクリルアミド系、マレイン酸系、エチレンオキサイド系、ビニルアルコール系の単独もしくは共重合体、変性澱粉、変性セルロースよりなる群から選択される少なくとも１種である。
【００１４】
吸着性化合物がレゾルシンである構成は、本発明において好ましい実施態様である。さらに、本発明に係る吸着処理用組成物は、弱酸性物質または弱塩基性物質を含有するものであってもよい。
【００１５】
本発明には、上記本発明の吸着処理用組成物を含有する吸着処理部を備える吸着処理装置も含まれる。上記吸着処理部に対し被処理ガスを供給するファンを備えている構成、空調装置に付設されるものである構成、吸着処理部が着脱可能に取り付けられている構成は、いずれも吸着処理装置の好ましい構成である。
【００１６】
本発明には、上記本発明の吸着処理用組成物を含有する空気清浄用フィルタも含まれる。空気清浄用フィルタが、さらに、被吸着成分を吸着し得る物理的吸着剤、特に活性炭を有する構成は、本発明の好ましい実施態様である。
【００１７】
なお、本発明には、被処理ガスを上記吸着処理用組成物と接触させ、被吸着成分を除去する吸着処理方法、および被処理ガスと共に、水分を吸着処理用組成物に接触させるものである吸着処理方法も含まれる。
【００１８】
【発明の実施の形態】
本発明の吸着処理用組成物は、水分の存在下で被吸着成分と化学的に反応して、この被吸着成分を吸着することのできる吸着性化合物と、吸水性物質と、結合剤が、必須成分である。
【００１９】
結合剤は、吸水性物質の重量に対して、１．３〜８重量％の範囲としなければならない。結合剤量が１．３重量％より少ないと、造粒して粒状体としても、わずかな力で破砕されてしまい、造粒した意味がなくなる。結合剤が８重量％を超えると、結合剤部分によって吸着性化合物や吸水性物質が隠蔽されて、吸着処理の場が少なくなり、結果的に吸着性能が劣ったものとなる。また、結合剤として水溶性ポリマーを用い、吸着性化合物の水溶液を添加して造粒作業を行うときに、水溶性ポリマーが８重量％を超えると、系の粘度が上がると共に粘着性を帯び、造粒作業が困難になるため好ましくない。より好ましい結合剤の量の上限は、吸着性化合物に対して５重量％、さらに好ましくは３重量％である。
【００２０】
結合剤としては、水溶性ポリマーの使用が好ましい。有機溶剤を使用することなく造粒作業が行える。また、本発明で使用される吸着性化合物の代表例がフェノール系化合物であり、水溶性の化合物が多いため、水に溶解させたポリマーと吸着性化合物を、吸水性物質と混合して造粒することにより、簡単に粒状体とすることができるからである。水溶性ポリマーとしては、ポリアクリル酸、ポリビニルアルコール、カルボキシメチルセルロース等があるが、少ない使用量でも粒状体の強度に優れる点からポリビニルアルコールが最も好適である。なお、吸水性物質との濡れ性に劣る場合には、界面活性剤を少量添加して造粒を行っても良い。
【００２１】
造粒方法としては、上記したように吸水性物質と吸着性化合物と結合剤を一度に混合して造粒する方法以外にも、吸水性物質と吸着性化合物を混合して若干量の結合剤を加えて予備造粒した後、所定量となるように結合剤を加えて本造粒する方法や、結合剤と吸水性物質のみからなる粒状体を形成した後、吸着性化合物の水溶液またはアルコール溶液に浸漬する方法等が採用可能である。造粒手段としては、押出成形や高速混合造粒など公知の手段を用いればよい。
【００２２】
吸着処理用組成物の粒状体の大きさは、用途に応じて適宜選択され、特に限定はされないが、吸着処理効率に影響する粒状体の表面積、通気抵抗および取り扱い性の兼ね合いの観点から、平均粒径が０．１〜１ｍｍの範囲のものが好ましい。公知の造粒手段で得られる造粒物が大きい場合には、粉砕して篩い分けを行えば、この範囲の粒状体を得ることができる。
【００２３】
本発明の吸着処理用組成物の必須成分の吸水性物質としては、吸着性化合物に対して非反応性で、かつ被処理ガス中の水分を吸収する性質を有するものであればその種類は特に制限されず、吸水性無機物質や吸水性ポリマーを使用することができる。吸水性物質は、水分存在下で行われる吸着性化合物と被吸着成分との化学反応の場として用いられる。その吸水性によって空気中の水分を吸収するので、反応媒体となる水分を外部から補わなくても反応を効率よく進めることが可能である。
【００２４】
吸水性無機物質としては、一般に無機質担体として用いられるシリカゲル、ゼオライト、アルミナ、ケイソウ土、活性炭等が好ましいものとして例示される。これらは２種以上混合して使用しても良い。ゼオライトは、イオンタイプによってＮａ型とＨ型（プロトン型）に分類できるが、カルボニル基含有化合物との反応性が高いという観点からは、Ｈ型ゼオライトが好ましい。また、後述のように、吸着性化合物と共に弱酸性物質や弱塩基性物質を併用した場合には、水分を吸収した時にこれらの弱酸性物質や弱塩基性物質に由来して生じる酸やアルカリによって、吸着処理装置や付帯機器の酸腐食やアルカリ腐食を起こすことも懸念されるので、吸水性物質として、Ｈ型ゼオライト等の固体酸性物質や、Ｎａ型ゼオライト等の固体塩基性物質の使用が推奨される。
【００２５】
吸水性ポリマーとしては、アクリル酸塩系、アクリルアミド系、マレイン酸系、エチレンオキサイド系、ビニルアルコール系の単独もしくは共重合体、変性澱粉、変性セルロース等が好ましいものとして例示され、より好ましい具体例としては、ポリアクリル酸塩、アクリル酸とビニルアルコールやアクリル酸エステルとの共重合体またはその塩、アクリルアミド系重合体、ポリエチレンオキサイド、マレイン酸−イソブチレン共重合体の塩、澱粉やカルボキシセルロースのアクリル酸塩グラフト変性物などが挙げられ、これらは単独で使用し得る他、必要によっては２種以上を適宜組合せて使用することができる。
【００２６】
上記吸水性物質は、吸水性無機物質や吸水性ポリマーいずれの場合も、通常微粉末で供給される。従って、本発明において結合剤と共に粒状体とした吸着処理用組成物とすることによって取り扱い性が向上し、吸着処理装置やフィルタとして適用する際にも落下や抜け落ち等の不具合がなく、有用である。また前記したように結合剤の最適量を見出したので、良好な吸着処理性能を有すると共に、容器に充填したり不織布等に挟持してフィルタ等に賦形する場合のように応力が付加される場合であっても破砕してしまうことはない。
【００２７】
本発明の吸着処理用組成物に含まれる吸着性化合物としては、水分の存在下で吸着処理能を発揮する化合物を用いる。特に、ホルムアルデヒド、アセトアルデヒド、アクロレイン、ベンズアルデヒド等の被吸着成分が有するカルボニル基に対して付加反応性を示す活性水素を有する化合物を用いると、化学反応によってこれらの化合物の臭気を除去することができる。カルボニル基含有化合物に対して、付加反応性を示す吸着性化合物としては、一価フェノール、多価フェノール、およびその誘導体よりなる群から選択される少なくとも１種が挙げられる。
【００２８】
具体的には、ヒドロキシ安息香酸、オイゲノール、３，５−，２，５−，３，４−キシレノール等の１価フェノール；レゾルシン、ビスフェノールＡ、カテコール等の２価フェノール；ピロガロール、プルプリン、ナリンギン等の３価フェノール；ルチン等の４価フェノール等のフェノール類が挙げられる。
【００２９】
上記化合物を吸着性化合物として用いることにより、カルボニル基含有化合物に対して、高レベルの吸着処理効率が得られると共に、一旦吸着処理した後は、反応物が吸水性物質中に取り込まれるため、被吸着成分が単独で再放出されることはない。さらにこの吸着反応は、水の共存下で進行するため、空気中の湿分（水分）によって吸着性能が阻害されることもない。しかも、従来技術で採用されていたアミン系またはアンモニア系の吸着性化合物のように、薬剤自体に臭気問題があったり、腐食性の高い酸イオンを生成したり、また昇華性がある等の問題も有していない。
【００３０】
上記吸着性化合物のうち多価フェノールに属するレゾルシンは、カルボニル基含有化合物に対して非常に優れた反応性を示すことから、吸着性化合物として極めて好ましく用いられる。特にレゾルシンと共に、修酸等の弱酸性物質や炭酸ナトリウム等の弱塩基性物質を併用すると、アルデヒド等に対する捕捉効果が一段と高められ、一層優れた吸着処理効果を発揮する。これは、上記弱酸性物質や弱塩基性物質がレゾルシンとホルムアルデヒドとの反応の触媒として作用するためと考えられ、こうした効果は、レゾルシン以外の一価フェノールや多価フェノールを吸着性化合物として使用する際にも同様に有効に発揮される。
【００３１】
吸着性化合物が液状である場合はそのまま用い、前記した造粒方法で造粒すれば良く、吸着性化合物が固体である場合は、水やメタノール等の適当な溶媒に溶解し、前記した造粒方法で造粒すればよい。造粒後に加熱処理すれば、溶媒の除去が可能である。水は、反応媒体となるので粒状体中に残存していても良い。なお、水が残存していなくても、吸水性物質が空気中の湿分を吸収することによって補われるためあえて補給する必要はないが、吸着処理の初期から高レベルの吸着処理活性を発揮させるには、当初から適量の水分を吸水性物質に吸収させておくことが望ましい。
【００３２】
吸着性化合物は、吸着処理活性や飽和担持量、求められる吸着性能などを考慮して適当に選定すればよいが、吸水性物質の重量に対し、０．１〜５０重量％とすることが好ましい。０．１重量％より少ないと吸着性能が充分発揮されず、５０重量％を超えて加えても、それ以上の吸着性能の向上が見られないからである。また、吸着性化合物を多くすると、造粒性が悪化する傾向も見られた。より好ましい吸着性化合物量の上限は、吸水性物質に対して２０重量％、さらに好ましくは１０重量％である。また吸着性能の観点から見て、より好ましい下限は、５重量％である。
【００３３】
こうした本発明の吸着処理用組成物を使用すれば、吸水性物質と共に含有させた前述の吸着性化合物が、水の共存下で、カルボニル含有化合物と反応し、これを無臭性の化合物に変えて捕捉し、効率よく吸着処理することができる。被吸着成分としては、ホルムアルデヒド，アセトアルデヒド，アクロレイン，ベンズアルデヒド等のカルボニル含有化合物などが挙げられる。また、吸着性化合物の選択によって、他の悪臭成分や、無臭の有害成分の吸着処理も可能である。
【００３４】
本発明の吸着処理用組成物は、これまで説明したように適切な大きさの粒状体に成形されているので、微粉末を扱う場合に比べて、作業環境的に好ましく、また取り扱い性にも優れている。以下、本発明の吸着処理用組成物を適用した吸着処理装置および空気清浄用フィルタについて説明する。
【００３５】
まず、本発明の吸着処理装置は、吸着処理用組成物を適当な容器に装填した吸着処理部を備えていればよい。この吸着処理部に被処理ガスを通過させると、被処理ガス中に含まれる被吸着成分が効率よく除去され、無害・無臭のガスに清浄化される。このとき、吸着処理部の前・後の適当な位置にファンを配置しておけば、吸着処理部への被処理ガスの導入をスムーズに行える。またファンの送風能力を、被処理ガス中に含まれる被吸着成分の濃度等に応じて適宜調整可能にすることももちろん有効である。また、上記吸着処理部を部屋や車輛に設けられる空調設備の前・後適当な位置に付設しておけば、該空調設備のファンを吸着処理用のファンとして兼用することができるので好ましい。
【００３６】
この他、車輛の天井部や後部座席の後方など、あるいは住居やビル等の屋内にファン付きの吸着処理装置として配置し、車内空気を循環させながら吸着処理できるようにすることも可能である。吸着処理部と除塵用のフィルタを積層して一体型としたり、これらのフィルタを直列に配列したりして組合せ配置し、吸着処理と除塵を同時に行える様にすることも好ましい実施形態の一つである。
【００３７】
ちなみに図１は、循環処理タイプの吸着処理装置を例示する概念図であり、吸着処理装置本体１内には送風用のファン２が設けられると共に、その下流側に除塵フィルタ３と吸着処理部４を設け、ファン２によって吸引される被処理ガスを除塵フィルタ３と吸着処理部４に通すことにより、被処理ガスの除塵と吸着処理を行うように構成されている。図中５はセンサーを示し、このセンサー５で被処理ガスの汚染度合いを検知し、汚染度が所定値に達したときはこれを自動的に検知し、ファン２が作動するようになっている。従ってこのような吸着処理装置１を、例えば図２に示すように車輛内の天井部あるいは後部座席の後方などの適所に設置しておけば、室内ガスを清浄に保つことができる。
【００３８】
図３は、車輛の空調装置６に本発明の吸着処理装置を付設する場合の概念図であり、ファン２により除塵フィルタ３を通して送り込まれてくる外気もしくは内気を、吸着処理部４およびエバポレータ７を通して車輛室内へ供給する様に構成されている。図中８はヒーターユニット、Ｄ１  、Ｄ２  は切り替え用のダンパをそれぞれ示している。このような空調装置６は、通常、図２に略示したように車輛の前部に設けられる。
【００３９】
なお本発明の吸着処理用組成物は、被吸着成分と化学的に反応して吸着処理するものであるから、使用期間が経過するにつれて吸着処理活性は徐々に低下し、吸着性化合物の全てが反応に消費されると吸着処理活性を失う。従って、吸着処理活性を失った後の吸着処理用組成物の取り替えを簡便に行えるように、吸着処理用組成物をカセット内に充填しておき、ガス処理部位にワンタッチで着脱可能に構成することは、本発明を実用化する際の好ましい態様として推奨される。
【００４０】
本発明に係る吸着処理用組成物を空気清浄用フィルタに含有させるにあたっては、上記造粒物を不織布や静電紙等の気体通過性素材（濾材）に挟持させる方法が好ましい。また、自動車用排ガスやタバコの煙、石油暖房器の排ガス等を含む被処理ガスの吸着処理を行うにあたっては、活性炭等の物理的吸着剤と併用することが望ましく、図４（ａ）に示すように、不織布や静電紙等の濾材１０の間に、活性炭１１と吸着処理用組成物１２の混合物を含有させても良く、あるいは図４（ｂ）に示すように、濾材１０を介設することにより活性炭１１と吸着処理用組成物１２を別々の層に分けて含有させてもよい。
【００４１】
さらに、本発明の粒状体の吸着処理用組成物は、上述の吸着処理装置や空気清浄用フィルタのように、被処理ガスを積極的に通過させることを前提とした通過型吸着処理に用いる以外にも、例えば建材や壁紙または置物等の表面に付着担持させて吸着処理させる方法（接触型吸着処理）に用いてもよい。
【００４２】
なお、本発明の吸着処理用組成物は、吸着の際に水分を必要とするが、結合剤、吸水性物質および吸着性化合物の量を最適バランスにすることができたので、空気中の湿分（水分）を吸水性物質が吸収することによって反応の場に存在し得た水のみでも、優れた吸着効率を発揮する。従って、吸着処理方法としては、被処理ガスに水分を加えて、吸着処理用組成物に接触させる必要はないが、非常に乾燥した環境であれば、加湿手段を設け、被処理ガスと共に水分を吸着処理部に供給するように構成しても良い。
【００４３】
本発明によれば、被吸着成分を簡便にしかも効率よく吸着処理することのできる吸着処理用組成物および吸着処理法を提供することができ、またこの吸着処理用組成物を使用することにより、コンパクトで吸着処理効率の高い吸着処理装置やフィルタを提供し得ることになった。
【００４４】
【実施例】
次に本発明の実施例を示すが、本発明はもとより下記実施例によって制限を受けるものではなく、前後記の趣旨に適合し得る範囲で適当に変更を加えて実施することももちろん可能であり、それらはいずれも本発明の技術的範囲に含まれる。
【００４５】
実施例
結合剤としてポリビニルアルコールを、吸水性物質としてＨ型ゼオライト（ＳｉＯ２  ／Ａｌ２  Ｏ３  ＝７５，粒径；５〜１０μｍ）を、吸着性化合物としてレゾルシンを用いて、吸着処理用組成物を調製した。ポリビニルアルコールの量は、Ｈ型ゼオライト量に対し、５段階に変化させた。レゾルシン量は、ゼオライトに対し１０重量％と一定にした。
【００４６】
得られた吸着処理用組成物１３を、図５に示したように、内容量１０００ｃｃのフラスコ１４内へ装入し、これに注射器１５を用いてアセトアルデヒドが１０００ｐｐｍとなるように注入して密封した。時間経過に伴うアセトアルデヒド除去率［吸着率（％）］の変化を調べ、結果を図６に示した。なお比較として、活性炭の結果も併せて示した。
【００４７】
図から明らかなように、ポリビニルアルコール量が１．７重量％の場合は、吸着率は３０分経過後も全く低下せず、良好な吸着性能を示した。ポリビニルアルコール量が多くなると、吸着率が経時的に低下する割合が多くなっているが、低下率は活性炭に比べると著しく少なく、本発明の吸着処理剤が優れた吸着性能を有していることが確認できた。なお、本実験は促進実験であるので、実際の使用環境では、数ヶ月〜数年にわたって、良好な吸着特性を示す。
【００４８】
【発明の効果】
本発明は以上の様に構成されているので、吸着処理性能を高度に維持しつつ、取り扱い性に優れ、破砕等の不都合のない吸着処理用組成物の粒状体の開発に成功したので、小規模で簡単に悪臭成分や無臭・有毒気体成分を除去することのできる吸着処理装置，フィルタおよび吸着処理方法が提供できることとなった。本発明によれば、コンパクトな装置で高レベルで非常に安定した吸着性能を確保することができ、特に自動車や住宅・家屋などの室内の吸着処理等に有効に活用することができる。
【図面の簡単な説明】
【図１】本発明にかかる吸着処理装置の具体例を示す概念図である。
【図２】吸着処理装置の車輛への配設位置を例示する説明図である。
【図３】本発明の吸着処理装置を自動車の空調装置に付設した例を示す説明図である。
【図４】本発明に係るフィルタ（活性炭併用タイプ）の一例を示す説明図である。
【図５】吸着性能の評価実験法を示す説明図である。
【図６】吸着性能の評価実験結果を示すグラフである。
【符号の説明】
１  浄化装置
２  ファン
３  除塵フィルタ
４  吸着処理部
５  センサー
６  空調装置
７  エバポレータ
８  ヒーターユニット
１０  濾材
１１  活性炭
１２  吸着処理用組成物
１３  吸着処理剤
１４  フラスコ
１５  注射器
【図１】
0003572970.tif 000002
【図２】
0003572970.tif 000003
【図３】
0003572970.tif 000004
【図４】
0003572970.tif 000005
【図５】
0003572970.tif 000006
【図６】
0003572970.tif 000007